【手続補正書】
【提出日】平成20年9月24日(2008.9.24)
【手続補正１】
【補正対象書類名】特許請求の範囲
【補正対象項目名】全文
【補正方法】変更
【補正の内容】
【特許請求の範囲】
【請求項１】
電子ペンにより認識可能なドットパターンが印刷されており、複写用紙である電子ペン用複写帳票に記入された情報を集約するサーバであって、
前記複写帳票は、１つのエリアから分割されたドットパターンがそれぞれ印刷された複数の前記複写帳票から１セットが構成されており、各セットを識別する情報であるセット識別情報及び所定の処理に必要な情報が記入される複数の項目を有するものであって、
前記電子ペンにより、複数枚の前記複写帳票にそれぞれ記入された前記セット識別情報及び前記所定の処理に必要な情報を記入情報として取得する記入情報取得手段と、
取得した前記記入情報から、１枚の前記複写帳票に記入された情報を枚目記入情報として抽出する枚目記入情報抽出手段と、
抽出した前記枚目記入情報から、前記複写帳票が有する各項目に記入された情報を項目記入情報として抽出する項目記入情報抽出手段と、
抽出した前記項目記入情報に基づいて、前記セット識別情報を特定するセット識別情報特定手段と、
特定した前記セット識別情報に基づいて、同じセット識別情報が記入された前記複写帳票に対応する枚目記入情報を集約する集約手段と、を備えることを特徴とするサーバ。
【請求項２】
前記複写帳票は、１セットを構成する複数枚の前記複写帳票にそれぞれ記入された情報を、ひとまとまりの記入情報として送信するために必要な完了ボックスを有するものであって、
前記完了ボックスは、１セットを構成する複数枚の複写帳票の中の１枚が有しており、
前記記入情報取得手段は、前記電子ペンにより、複数枚の前記複写帳票にそれぞれ記入された前記セット識別情報及び前記所定の処理に必要な情報を、１セットの前記複写帳票に記入された記入情報として取得することを特徴とする請求項１に記載のサーバ。
【請求項３】
前記項目は、直接前記電子ペンにより記入が行われる記入項目と、前記複写帳票により前記記入項目に記入された情報が複写される複写項目とを有しており、
前記複写項目に直接前記電子ペンにより記入が行われた場合、前記記入項目に記入された情報を削除し、前記複写項目に記入された情報を前記記入項目に記入された情報として取り扱うことを特徴とする請求項１又は２に記載のサーバ。
【請求項４】
電子ペンにより認識可能なドットパターンが印刷されており、複写用紙である電子ペン用複写帳票に記入された情報を集約するコンピュータにより実行されるプログラムであって、
前記複写帳票は、１つのエリアから分割されたドットパターンがそれぞれ印刷された複数の前記複写帳票から１セットが構成されており、各セットを識別する情報であるセット識別情報及び所定の処理に必要な情報が記入される複数の項目を有するものであって、
前記電子ペンにより、複数枚の前記複写帳票にそれぞれ記入された前記セット識別情報及び前記所定の処理に必要な情報を記入情報として取得する記入情報取得手段、
取得した前記記入情報から、１枚の前記複写帳票に記入された情報を枚目記入情報として抽出する枚目記入情報抽出手段、
抽出した前記枚目記入情報から、前記複写帳票が有する各項目に記入された情報を項目記入情報として抽出する項目記入情報抽出手段、
抽出した前記項目記入情報に基づいて、前記セット識別情報を特定するセット識別情報特定手段、
特定した前記セット識別情報に基づいて、同じセット識別情報が記入された前記複写帳票に対応する枚目記入情報を集約する集約手段、として前記コンピュータを機能させることを特徴とするプログラム。
【請求項５】
前記複写帳票は、１セットを構成する複数枚の前記複写帳票にそれぞれ記入された情報を、ひとまとまりの記入情報として送信するために必要な完了ボックスを有するものであって、
前記完了ボックスは、１セットを構成する複数枚の複写帳票の中の１枚が有しており、
前記記入情報取得手段は、前記電子ペンにより、複数枚の前記複写帳票にそれぞれ記入された前記セット識別情報及び前記所定の処理に必要な情報を、１セットの前記複写帳票に記入された記入情報として取得することを特徴とする請求項４に記載のプログラム。
【請求項６】
前記項目は、直接前記電子ペンにより記入が行われる記入項目と、前記複写帳票により前記記入項目に記入された情報が複写される複写項目とを有しており、
前記複写項目に直接前記電子ペンにより記入が行われた場合、前記記入項目に記入された情報を削除し、前記複写項目に記入された情報を前記記入項目に記入された情報として取り扱うことを特徴とする請求項４又は５に記載のプログラム。
【請求項７】
インクペンユニット及び光学的にドットパターンを読み取る読取ユニットを備える電子ペンにより記入され、複写用紙である電子ペン用複写帳票であって、
前記複写帳票は、１つのエリアから分割されたドットパターンが印刷された複数枚の前記複写帳票から１セットが構成されており、
各セットを識別する情報であるセット識別情報及び所定の処理に必要な情報が記入される複数の項目を有することを特徴とする電子ペン用複写帳票。
【請求項８】
１セットを構成する各複写帳票の大きさは、全て異なるものであって、各枚目を示す数字の大きさに応じて設定されていることを特徴とする請求項７に記載の電子ペン用複写帳票。
【請求項９】
１セットを構成する各複写帳票の大きさは、各枚目を示す数字の大きさと比例するように設定されていることを特徴とする請求項８に記載の電子ペン用複写帳票。
【請求項１０】
１セットを構成する複写帳票の一部は切り離し可能に加工されていることを特徴とする請求項７乃至９のいずれか一項に記載の電子ペン用複写帳票。
【請求項１１】
前記複写帳票は、１セットを構成する複数枚の前記複写帳票にそれぞれ記入された情報を、ひとまとまりの記入情報として送信するために必要な完了ボックスを有するものであって、
前記完了ボックスは、１セットを構成する複数枚の複写帳票の中の１枚が有することを特徴とする請求項７乃至１０のいずれか一項に記載の電子ペン用複写帳票。
【請求項１２】
前記完了ボックスは、枚目を示す数字が最も大きい前記複写帳票が有することを特徴とする請求項１１に記載の電子ペン用複写帳票。
【請求項１３】
前記項目は、直接前記電子ペンにより記入が行われる記入項目と、前記複写帳票により前記記入項目に記入された情報が複写される複写項目とを有しており、
前記複写項目にはドットパターンが印刷されていないことを特徴とする請求項７乃至１２のいずれか一項に記載の電子ペン用複写帳票。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１９
【補正方法】変更
【補正の内容】
【００１９】
上記電子ペン用複写帳票の一態様では、１セットを構成する各複写帳票の大きさは、全て異なるものであって、各枚目を示す数字の大きさに応じて設定されている。好適な例では、１セットを構成する各複写帳票の大きさは、各枚目を示す数字の大きさと比例する。このように、１セットは、大きさの異なる複数の複写帳票を大きい順にずらして重ねることで構成されている。これによれば、上に位置する複写帳票を捲らずに下に位置する複写帳票へ追記することが可能となる。